(57)【要約】  【課題】  扉の設置後でも容易に設置位置を微調整できる施工性に優れた扉の取付装置、並びに、該取付装置を備えた扉装置の提供を目的とする。  【解決手段】  取付装置２は、底板２５上にバネ板２６および摺動板２７が積層され、その状部から天板２８が被覆され、上下に貫通する偏心軸４８により一体化されたものである。摺動板２７のカム作動孔３０には、位置調整カム３１が収納されている。位置調整カム３１の軸孔５０には、偏心軸４８の係止軸部６０が嵌合している。位置調整カム３１は、偏心軸４８に連動してカム作動孔３０内で偏心回動する。摺動板２７は、位置調整カム３１の偏心回動に連動して、取付装置２の幅方向に摺動する。【選択図】  図３
2006194079.tif 000002
【特許請求の範囲】
【請求項１】
扉側又は扉が取り付けられる被固定側から突設した固定軸と係合し、扉を回動可能なように支持する扉の取付装置において、固定部材と、位置調整カムと、前記固定部材に対して一定の方向に摺動可能な摺動板とを備え、前記位置調整カムの回動に連動して前記摺動板が摺動することを特徴とする扉の取付装置。
【請求項２】
位置調整カムの偏心位置には、軸孔が設けられており、該軸孔には偏心軸が挿通されており、該偏心軸の回転に連動して前記位置調整カムが偏心回動することを特徴とする請求項１に記載の扉の取付装置。
【請求項３】
位置調整カムの偏心位置には偏心軸が設けられており、前記位置調整カムは前記偏心軸の回転に連動して偏心回動することを特徴とする請求項１に記載の扉の取付装置。
【請求項４】
偏心軸には、道具と係合する道具係合部を有することを特徴とする請求項２又は３に記載の扉の取付装置。
【請求項５】
固定部材には摺動板の摺動方向を規制する摺動方向規制手段が設けられていることを特徴とする請求項１乃至４のいずれかに記載の扉の取付装置。
【請求項６】
摺動板は、位置調整カムを収納可能なカム作動孔と、固定軸と係合する固定軸挿通孔とを有することを特徴とする請求項１乃至５のいずれかに記載の扉の取付装置。
【請求項７】
請求項１乃至６のいずれかに記載の扉の取付装置を扉の天面及び／又は底面に具備していることを特徴とする扉装置。
【発明の詳細な説明】
【技術分野】
【０００１】
本発明は扉を開口部に設置するための扉の取付装置、並びに、扉装置に関するものであり、特に設置位置を微調整可能な扉の取付装置、並びに、扉装置に関するものである。
【背景技術】
【０００２】
従来より、押入やクローゼットなどの開口部１０１を閉塞するために用いられる扉装置１００には、図８に示すようなパネル体１０２，１０３を蝶番１０５により連結した折戸が採用されることが多い。扉装置１００は、蝶番１０５を中心として折り畳むことが可能である。パネル体１０２は、上下両端にスライド軸１０６を有する。スライド軸１０６は、一部が開口部に設けられたレール１０７，１０８に収納されている。そのため、パネル体１０１は、扉装置１００の開閉時にレール１０７，１０８に沿って所定の軌道で移動する。
【０００３】
パネル体１０３は、図９に示すように天面１１０および底面１１１の釣元側に、開口部１０１に設けられた固定軸１１２と係合可能な取付装置１１３が取り付けられている。取付装置１１３は、略中心に固定軸１１２を挿通可能な貫通孔１１５を有する板材であり、４隅に下方に突出した脚部１１６を有する。取付装置１１３は、脚部１１６がパネル体の天面１１０および底面１１１側を向くように取り付けられている。パネル体１０３は、取付装置１１３の貫通孔１１５に固定軸１１２を挿通することで、開口部１０１の釣元側を中心として回動可能なように支持されている。
【０００４】
扉装置１００は、パネル体１０１に取り付けられた取っ手１１７を手前に引くと、パネル体１０２が釣元側を中心として回動し、それに連動してパネル体１０１がレール１０７，１０８に沿って釣元側に移動することで開状態となる。
【発明の開示】
【発明が解決しようとする課題】
【０００５】
従来の扉装置１００は、あらかじめ所定の位置に取り付けられた取付装置１１２に、固定軸１１２を係合させることで所定の位置に設置される。しかし、扉装置１００の設置施工後に、扉装置１００と開口部１０１の側壁部１１８との間の隙間（チリ寸法）に狂いが生じた場合、再度扉装置１００を取り外して取付装置１１３の取り付け位置を微調整せねばならず、作業効率が著しく低下する。また、扉装置１００の取り付け時に、チリ寸法の微調整のために何度も取付装置１１３を付け外しすると扉装置１００あるいは開口部１０１にネジ孔を多数設けることになる。ネジ孔を多数設けると外観が損なわれるばかりか、ネジ孔近辺の強度が低下してしまい、扉装置１００の長期安定性も損なわれてしまう懸念がある。
【０００６】
また、建て付けの悪い家屋等に扉装置１００を取り付ける際は、開口部１０１や側壁部１１８が歪んでいることが多い。そのため、古い家屋等に扉装置１００を設置する場合は、側壁部１１８の上端側と下端側とで、扉装置１００と側壁部１１８とのチリ寸法が異なる場合が多く、扉装置１００の取り付け施工がますます困難となる。
【０００７】
そこで、本発明は、扉の設置後でも容易に設置位置を微調整できる施工性に優れた扉の取付装置、並びに、該取付装置を備えた扉装置の提供を目的とする。
【課題を解決するための手段】
【０００８】
上記した課題を解決すべく提供される請求項１に記載の発明は、扉側又は扉が取り付けられる被固定側から突設した固定軸と係合し、扉を回動可能なように支持する扉の取付装置において、固定部材と、位置調整カムと、前記固定部材に対して一定の方向に摺動可能な摺動板とを備え、前記位置調整カムの回動に連動して前記摺動板が摺動することを特徴とする扉の取付装置である。
【０００９】
かかる構成によれば、位置調整カムを回動させれば摺動板が固定部材に対して一定の方向に摺動し、固定軸が挿通される軸孔も一定の方向に移動する。そのため、本発明の取付装置により扉を固定すれば、扉の取付施工後であっても扉や取付装置を取り外すことなく扉の取り付け位置を微調整し、チリ寸法を変更することができる。従って、前記取付装置を用いれば扉の取付施工が容易に行える。
【００１０】
請求項２に記載の発明は、位置調整カムの偏心位置には、軸孔が設けられており、該軸孔には偏心軸が挿通されており、該偏心軸の回転に連動して前記位置調整カムが偏心回動することを特徴とする請求項１に記載の扉の取付装置である。
【００１１】
かかる構成によれば、偏心軸が回転すると位置調整カムが所定の軌道で偏心回動するため、位置調整カムに連動する摺動板を容易かつ確実に摺動させることができる。よって、本発明の扉の取付装置によれば、扉を取り付けたままの状態でも容易かつ精度よくチリ寸法の調整ができる。
【００１２】
請求項３に記載の発明は、位置調整カムの偏心位置には偏心軸が設けられており、前記位置調整カムは前記偏心軸の回転に連動して偏心回動することを特徴とする請求項１に記載の扉の取付装置である。
【００１３】
かかる構成によれば、偏心軸の回転に伴って位置調整カムが所定の軌道で偏心回動する。そのため、位置調整カムに連動する摺動板は所定の軌道で確実に摺動する。よって、本発明の扉の取付装置によれば、扉を取り付けたままの状態でも容易かつ精度よくチリ寸法の調整ができる。
【００１４】
請求項４に記載の発明は、偏心軸には、道具と係合する道具係合部を有することを特徴とする請求項２又は３に記載の扉の取付装置である。
【００１５】
かかる構成によれば、偏心軸の道具係合部にレンチ等の道具を係合させれば、位置調整カムを容易に回転させることができる。そのため、扉が設置される場所が狭かったり、扉が重く偏心軸に大きな力が作用しているなどして偏心軸を回転させることが困難な場合でも、道具を用いて扉の取り付け位置を調整できる。
【００１６】
請求項５に記載の発明は、固定部材には摺動板の摺動方向を規制する摺動方向規制手段が設けられていることを特徴とする請求項１乃至４のいずれかに記載の扉の取付装置である。
【００１７】
かかる構成によれば、摺動板は、摺動方向規制手段により規制される方向にのみ摺動するため、摺動板に設けられた軸孔も所定の方向にのみ移動する。そのため、本発明の扉の取付装置を用いれば、扉の位置調整を容易かつ精度よく行うことができる。
【００１８】
請求項６に記載の発明は、摺動板が位置調整カムを収納可能なカム作動孔と、固定軸と係合可能な固定軸挿通孔とを有することを特徴とする請求項１乃至５のいずれかに記載の扉の取付装置である。
【００１９】
かかる構成によれば、カム作動孔内の位置調整カムを回動させると、摺動板および固定軸挿通孔が一定の方向に移動する。そのため、本発明の取付装置を用いて扉を固定すれば、位置調整カムを回動させるだけで扉を所定の方向に移動でき、容易にチリ寸法の調整ができる。
【００２０】
請求項７に記載の発明は、請求項１乃至６のいずれかに記載の扉の取付装置を扉の天面及び／又は底面に具備していることを特徴とする扉装置である。
【００２１】
本発明の扉装置は、上記した扉の取付装置を具備しているため、扉装置の取り付け施工後であっても容易に取り付け位置の調整を行うことができる。
【発明の効果】
【００２２】
上記したように、本発明の扉の取付装置および扉装置は、クローゼットなどの開口部への取り付け施工を容易に行うことができる。また、前記取付装置および扉装置によれば、扉装置の取り付け後であっても、扉装置や取付装置を取り外すことなく取り付け位置の微調整ができる。そのため、本発明の取付装置および扉装置は、取り付け施工性に優れ、取り付け位置を精度よく調整できる。
【発明を実施するための最良の形態】
【００２３】
以下、本発明の実施形態について詳細に説明する。図１は、本発明の一実施形態である扉装置を示す正面図である。また、図２は、図１のＡ部の拡大斜視図である。図３は、図１および図２に示す取付装置の分解斜視図である。図１において、１は扉装置である。また、図２，３において２は扉装置１の取付装置である。
【００２４】
扉装置１は、クローゼットの開口部３（被固定側）に設置される折戸であり、取付装置２によって開口部３の釣元側面４側に取り付けられている。扉装置１は、２枚のパネル体５，６の天面７，８および底面１０，１１の突き合わせ側に蝶番１２を取り付け、一体化したものである。パネル体５，６は、共に主要部が木材製であり、所定の大きさに成形されている。パネル体５の天面７および底面１０の略中央部には、スライド軸１８が設けられている。スライド軸１８は軸２０とローラ２１とを有し、互いに相対回動可能である。また、スライド軸１８は、ローラ２１が開口部３の上端面１３および下端面１５に設けられたレール１６，１７内に収納されており、レール１６，１７に沿って自由に移動できる。そのため、パネル体５は軸１８を中心として姿勢を自由に変化でき、扉装置１の開閉時に所定の軌道を描いて移動する。
【００２５】
パネル体６の天面８および底面１１の釣元側には、図１，２に示すように取付装置２が固定されている。取付装置２は、図３に示すように底板２５（固定部材）上にバネ板２６を介して摺動板２７が配置され、さらにその上部から天板２８が被覆され、一体化されたものである。摺動板２７に設けられたカム作動孔３０には、偏心回動が可能なように位置調整カム３１が収納されている。
【００２６】
底板２５は、両端が段状に折り曲げられて固定部３２および中央部３４が形成されている。固定部３２の略中央には、ネジ挿通孔３３が設けられている。また、ネジ挿通孔３３の周囲には、バーリング加工によりフランジ部３５が設けられている。底板２５の中央部３４には、長孔３６と貫通孔３７とが設けられている。長孔３６は、中央部３４の長手方向に長い貫通孔である。中央部３４の端部には摺動板２７の摺動方向を規制するガイド壁３８（摺動方向規制手段）が設けられている。
【００２７】
底板２５の中央部３４上には、バネ板２６を介して摺動板２７が積層されている。バネ板２６は、底板２５の中央部４０と略同一の大きさであり、湾曲部４１を有する。また、バネ板２６には、底板２５の中央部４０に設けられた長孔３６と貫通孔３７に相当する位置に、長孔４３と貫通孔４５とが設けられている。また、貫通孔４５の近傍には、湾曲部４１と逆向きに突出した突起４４が２つ設けられている。バネ板２６は、湾曲部４１が底板２５側に向くように中央部４０上に積層される。摺動板２７は、カム作動孔３０と固定軸挿通孔４６とを有する。カム作動孔３０は摺動板２７の短手方向に長い長孔である。固定軸挿通孔４６の周囲には、バーリング加工によりフランジ部４７が設けられている。そのため、固定軸挿通孔４６は、挿通された軸体を安定して支持できる。摺動板２７は、フランジ部４７が上方（天板２８側）を向くようにバネ板２６上に積層される。また、摺動板２７は、バネ板２６を介して積層されているため、底板２５と天板２８との間に適度な押圧力で挟持されており、摺動板２７の長手方向にスムーズに摺動できる。
【００２８】
カム作動孔３０には、位置調整カム３１が回動自在に収納されている。位置調整カム３１の裏面には、バネ板２６の突起４４が当接している。そのため、位置調整カム３１は、突起４４によって天板２８側に押圧されており、僅かな力では回動しないようになっている。位置調整カム３１は円盤状の確動カムである。また、位置調整カム３１は、直径が摺動板２７のカム作動孔３０の短径と略同一であり、摺動板２７と同一の厚さを有する。位置調整カム３１は、偏心した位置に後述する偏心軸４８の係止軸部６０を挿通可能な軸孔５０を有する。軸孔５０は、位置調整カム３１と偏心軸４８とが相対回転しないように偏心軸４８の係止軸部６０の断面形状と略相似形となっている。
【００２９】
天板２８は、底板２５と同様に両端が段状に折り曲げられて固定部５１および覆蓋部５２が形成されている。固定部５１の略中央には、底板２５のフランジ部３５が挿通可能な大きさのネジ挿通孔５３が設けられている。ネジ挿通孔５３に挿通されたフランジ部３５は、天板２８の上方からかしめられており、これにより天板２８と底板２５とが一体化されている。覆蓋部５２には、底板２５の長孔３６と貫通孔３７に相当する位置に、長孔５５と貫通孔５６とが設けられている。長孔５５は、覆蓋部５２の長尺方向に長い貫通孔であり、摺動板２７のフランジ部４７が内部を摺動可能な大きさを有する。
【００３０】
偏心軸４８は、軸頭部５７（道具係合部）と軸部５８と係止軸部６０と固定軸部６１とを有する。軸頭部５７は平面視が六角形であり、レンチ等の道具が係合可能な形状である。よって、偏心軸４８は、軸頭部５７にレンチ等の道具を係合させれば容易に回転させることができる。軸頭部５７は、天板２８の貫通孔５６よりも大径であり、貫通孔５６を通過できない。軸部５８は、天板２８の貫通孔５６に収まる大きさの軸体である。係止軸部６０は、円筒体の一部が面取りされた形状をしており、断面形状が位置調整カム３１の軸孔５０と略相似形である。そのため、偏心軸４８は、位置調整カム３１に対して相対回転不能である。即ち、位置調整カム３１は、偏心軸４８と連動して偏心回転する。固定軸部６１は、係止軸部６０よりも小径の円筒体であり、底板２５の貫通孔３７を通過可能な大きさである。
【００３１】
偏心軸４８は、天板２８の貫通孔５６に上方から挿通され、位置調整カム３１の軸孔５０および底板２５の貫通孔３７を貫通している。偏心軸４８の係止軸部６０は、位置調整カム３１の軸孔５０に嵌合している。軸孔５０は位置調整カム３１の偏心位置に設けられた貫通孔であるため、偏心軸４８が回転すると、位置調整カム３１が係止軸部６０を中心として偏心回転する。また、固定軸部６１は、貫通孔３７から底板２５の裏面側に突出している。底板２５の裏面から突出した固定軸部６１は、固定座金６２の孔６３に挿通され、固定座金６２の裏面側でかしめられている。そのため、偏心軸４８は取付装置２から抜け落ちない。
【００３２】
続いて、取付装置２を備えた扉装置１の取り付け施工方法および取付装置２の動作について順次説明する。
先ず、図１，２に示すように、取付装置２をパネル体６の天面８および底面１１の釣元側に固定する。さらに詳細には、取付装置２を、底板２５の固定部３２が天面８あるいは底面１１に面接するように配置し、ネジ挿通孔５３の上方から木ねじ６５をねじ込むことでパネル体６に固定する。
【００３３】
一方、クローゼットの開口部３の上端面１３および下端面１５には、あらかじめ固定軸６６，６７を固定しておく。本実施形態で用いられる固定軸６６は、本体部６８と軸部７０を有し、内部に図示しないバネが内蔵されている。よって固定軸６６の軸部７０は、図３の上下方向に移動可能であり、常時はバネの弾性力により下方に押し出され本体部６８から突出している。固定軸６７は、本体部７１と本体部７１に対して垂直方向に突出した軸部７２とを有し、軸部７２が上方に突出するように下端面１５に固定されている。
【００３４】
開口部３への固定軸６６，６７の取り付けが完了すると、パネル体６を床面に対して少し傾斜させた状態で移動し、底面１１側に取り付けた取付装置２の固定軸挿通孔４６に、固定軸６７の軸部７２を挿通する。この時、開口部３の上端面３に取り付けられた固定軸６６の軸部７０は、本体部６８側に押し戻しておく。続いて、パネル体６の姿勢を床面に対してほぼ垂直に戻す。この時、本体部６８側に押し戻されていた軸部７０を開放し、下方に突出させると、本体部６８から軸部７０は、下方に突出し、やがてパネル体６の天面８に取り付けられた取付装置２の固定軸挿通孔４６に滑り込む。固定軸挿通孔４６に軸部７０が滑り込むと、軸部７０はさらに下方に突出し固定軸挿通孔４６と完全に係合する。これにより、パネル体６は、固定軸６６，６７を支軸として回転可能に固定される。
【００３５】
続いて、上記した手順で開口部３に取り付けられたパネル体６と開口部３の釣元側面４との間の隙間（チリ寸法）の調整を行う。先ず、パネル体６の天面８側からチリ寸法Ｗ1 の調整を行う。図２に示すように、パネル体６の天面８側に取り付けられた取付装置２と開口部３の上端面１３との間に、レンチ７５を挿入し、偏心軸４８の軸頭部５７に係合させる。レンチ７５により偏心軸４８を左右に回すと、それに連動して取付装置２内の位置調整カム３１が回動し、摺動板２７が取付装置２の幅方向に摺動する。さらに具体的には、レンチ７５をパネル体６に対して右方向（図２，４中矢印Ｒ方向）に回転させると、図５に示すように位置調整カム３１が摺動板２７のカム作動孔３０に周方向の一部で当接しながら偏心回動する。位置調整カム３１が回動すると、摺動板２７はそれに連動してガイド壁３８により摺動方向が規制されながら右方向（図５中矢印Ａ方向）に距離ＷA だけ押し動かされる。
【００３６】
摺動板２７が押し動かされると、固定軸挿通孔４６も矢印Ａ方向に移動する。取付装置２は、パネル体６に固定されており、固定軸挿通孔４６に軸部７０が挿通されている固定軸６６は、開口部３の上端面に固定されている。そのため、摺動板２７が摺動し、固定軸挿通孔４６が矢印Ａ方向に移動すると、パネル体６は固定軸６６に対して矢印Ａ方向、即ち開口部３の釣元側面４側に移動する。即ち、レンチ７５などを用いて偏心軸４８をパネル体６に向かって右方向（図２，４中矢印Ｒ方向）に回転させると、パネル体６は釣元側面４側に移動し、チリ寸法Ｗ1 が距離ＷA だけ小さくなる。
【００３７】
一方、レンチ７５をパネル体６に対して左方向（図２，５中矢印Ｌ方向）に回転させると、図６に示すように位置調整カム３１が摺動板２７のカム作動孔３０に周方向の一部で当接しながら時計回りに偏心回動する。位置調整カム３１が回動すると、摺動板２７はガイド壁３８により摺動方向が規制されながら左方向（図５中矢印Ｂ方向）に距離ＷB だけ押し動かされる。
【００３８】
摺動板２７が押し動かされると、固定軸挿通孔４６も矢印Ｂ方向に移動し、パネル体６が開口部３の釣元側面４から離反する方向に移動する。即ち、レンチ７５などを用いて偏心軸４８をパネル体６に向かって左方向（図４，５中矢印Ｌ方向）に回転させると、パネル体６は釣元側面４から離れる方向に移動し、チリ寸法Ｗ1 が距離ＷB だけ大きくなる。
【００３９】
上記した手順でパネル体６の天面８側のチリ寸法Ｗ1 の調整が完了すると、続いて、底面１１側のチリ寸法Ｗ2 の調整を同様の手順で調整する。即ち、パネル体６の底面１１側の取付装置２と開口部３の下端面１５との間から、レンチ７５を挿入し、偏心軸４８を左右に回す。レンチ７５をパネル体６に対して右方向に回転させると、パネル体６は釣元側面４側に移動し、チリ寸法Ｗ2 が距離ＷA だけ小さくなる。また、レンチ７５をパネル体６に対して左方向に回転させると、パネル体６は釣元側面４から遠ざかり、チリ寸法Ｗ2 が距離ＷB だけ大きくなる。チリ寸法Ｗ1 ，Ｗ2 の調整が完了すると、パネル体６の取り付けが完了する。
【００４０】
パネル体６の取り付けが完了すると、あらかじめスライド軸１８を天面７および底面１０に取り付けておいたパネル体５を、スライド軸１８のローラ２１をレール１６，１７に嵌め込むことでレール１６，１７の間に取り付ける。続いて、パネル体５とパネル体６とを蝶番１２により連結すると、扉装置１の取付施工が完了する。
【００４１】
上記したように、連結装置２を備えた扉装置１は、開口部３への取り付けが容易であり、さらに扉装置１と釣元側面４との間のチリ寸法を容易かつ精度よく調整できる。本実施形態の連結装置２を用いれば、扉装置１を取り付けたままの状態でもチリ寸法の調整ができるため、扉装置１の取り付け作業を効率よく行うことができる。
【００４２】
本実施形態の取付装置２に内蔵されている位置調整カム３１と位置調整カム３１の偏心軸４８とは別々の部材であるが、位置調整カム３１は図６（ａ）に示すように偏      
【００４３】
心軸４８が一体化されたものであってもよい。また、位置調整カム３１に設けられた軸孔５０は、偏心軸４８の係止軸部６０の断面形状と略相似形の貫通孔であるが、偏心軸４８が位置調整カム３１に対して相対回転不能な形状であればいかなる形状であってもよい。
【００４４】
また、本実施形態において、位置調整カム３１は、偏心軸４８を中心として偏心回転し、位置調整カム３１が摺動板２７を押し動かすものであった。しかし、位置調整カムはこれに限定されるものではなく、図６（ｂ）に示すような中心軸７７と偏心軸７８とを有する位置調整カム７９であってもよい。中心軸７７の軸心は、位置調整カム７９の中心軸７７と一致している。また、偏心軸７８の軸心は、位置調整カム７９の中心軸７７から偏心している。そのため、位置調整カム７９は、中心軸７７を中心として回転すると、偏心軸７８が位置調整カム７９に対して偏心回転する。位置調整カム７９を取付装置２に採用する場合、摺動板２７と天板２８との間あるいは摺動板２７の下方に配置される。位置調整カム７９は、偏心軸７８が摺動板２７側に向くように配置される。この場合、位置調整カム７９を回転させると、偏心軸７８が偏心回動し、上記した実施形態と同様に摺動板２７を押し動かすことができ、パネル体６と釣元側面４とのチリ寸法を微調整できる。なお、上記した位置調整カム７９を採用する場合は、偏心軸７８の偏心回動時の軌道に合わせて貫通孔３７，４５，５６およびカム作動孔３０の形状を変更することが好ましい。さらに詳細には、位置調整カム７９を摺動板２７の上方に配置する場合には、カム作動孔３０を、偏心軸７８がちょうど摺動可能な大きさの長孔とし、貫通孔３７，４５をさらに拡大することが望ましい。また、位置調整カム７９を摺動板２７の下方に配置する場合には、カム作動孔３０を偏心軸７８がちょうど摺動可能な大きさの長孔とし、貫通孔４５，５６をさらに拡大することが望ましい。
【００４５】
また、本実施形態の扉装置１は、天面８および底面１１の双方に取付装置２が取り付けられているが、取付装置２は天面８あるいは底面１１のいずれか一方のみに取り付けられていてもよい。かかる構成によれば、扉装置１と釣元側面４とのチリ寸法を容易かつ精度よく調整でき、さらに扉装置１をより一層安価に製造することができる。
【００４６】
本実施形態の扉装置１は、天面８および底面１１の双方に取付装置２が設けられているため、天面８側の隙間Ｗ1 と底面１１側の隙間Ｗ2 の双方を調整可能である。そのため、扉装置１は、取り付けが容易であり、チリ寸法を精度よく調整することができる。
【００４７】
上記した実施形態において、取付装置２は、パネル体６の天面８および底面１１に固定され、開口部３に設けられた固定軸６６，６７と取付装置２の固定軸挿通孔４６とを係合させることで、パネル体６を取り付けるものであった。しかし、図７に示すようにパネル体６が天面８および底面１１に固定軸８０を有する場合は、上記した取付装置２を開口部３の上端面３および下端面１５に固定し、この取付装置２の固定軸挿通孔４６に固定軸８０を挿通すれば、容易に扉装置１を開口部３に取り付けることができ、チリ寸法を精度よく調整できる。
【図面の簡単な説明】
【００４８】
【図１】本発明の一実施形態である扉装置を示す平面図である。
【図２】図１のＡ部拡大斜視図である。
【図３】本発明の一実施形態である取付装置の分解斜視図である。
【図４】本発明の一実施形態である取付装置の動作を示す模式図であり、（ａ）は動作の第１段階、（ｂ）は動作の第２段階、（ｃ）は動作の第３段階を示す。
【図５】本発明の一実施形態である取付装置の動作を示す模式図であり、（ａ）は動作の第１段階、（ｂ）は動作の第２段階、（ｃ）は動作の第３段階を示す。
【図６】（ａ）は、本発明の取付装置が具備する位置調整カムの変形実施例を示す斜視図であり、（ｂ）は位置調整カムのさらに別の変形実施例を示す斜視図である。
【図７】本発明の扉の取付装置および扉装置の変形実施形態を示す斜視図である。
【図８】従来の扉装置を示す平面図である。
【図９】図８のＡ部拡大斜視図である。
【符号の説明】
【００４９】
１  扉装置
２  取付装置
３  開口部（被固定側）
８  天面
１１  底面
２５  底板（固定部材）
２７  摺動板
３１，７９  位置調整カム
４８，７８  偏心軸
５０  軸孔
５７  軸頭部（道具係合部）
６６，６７  固定軸
【図１】
2006194079.tif 000003
【図２】
2006194079.tif 000004
【図３】
2006194079.tif 000005
【図４】
2006194079.tif 000006
【図５】
2006194079.tif 000007
【図６】
2006194079.tif 000008
【図７】
2006194079.tif 000009
【図８】
2006194079.tif 000010
【図９】
2006194079.tif 000011